(57)【要約】【課題】鉄骨建築物の二つの鋼梁の間にユニット組み立てができるフロアリング。【解決手段】２本の横向きＬ型鋼１、２本の立向きＬ型鋼２を枡形フレーム枠に組立て、その中間に補強用の縦向きＬ型鋼を溶接などにより固定し、該フレーム枠を裏返して金属仕切りネット４などのフロアリング材を４辺の型鋼上面に溶着して固定、全体を溶融亜鉛メッキにより防錆処理して、組立ユニットとする。  既存の鉄骨建築物構造の二つの鋼梁の間に取り付けるには、２つの鋼梁下面に受座となる平鋼などをボルトで取付けて、その上に載置してボルトで固定することにより、これら通気性、軽量構造のフロアリングユニットを簡単に取付、交換することができる。【選択図】図4
2006090087.tif 000002
【特許請求の範囲】
【請求項１】
２本の横向きＬ型鋼、適当な位置にネジ孔を予め設けた２本の縦向きＬ型鋼、ネジ孔が予め設けられていない１本の縦向き山形鋼及び金属製の安全仕切りネットをユニット構成部材とし、
前記横向き、縦向きＬ型鋼は組み立てフロアリングユニットを組み立てる区間の鋼梁の長さに応じて寸法取りし、
前記横向きＬ型鋼両端部を縦向きＬ型鋼との接合箇所に合わせて背辺を裁断し、
前記横向き、縦向きＬ型鋼をＬ型鋼の底端を外側に向けさせて矩形の形に囲んで配置して前記Ｌ型鋼の内縁を接合して矩形を形成させ、
さらに横向きＬ型鋼の中央箇所に前記縦向きの補強山形鋼を溶接固定し、
このようにして完成したフレームをひっくり返して金属仕切りネットまたは多孔金属板を該Ｌ型鋼で構成するフレーム上に置いてその四辺を前記フレームの接触面に溶接し、
その後、溶融亜鉛メッキによりさび止め処理を行うことによりフロアリングユニットを構成することにより、モジュラー化、標準化された矩形の金属ネット状の組み立てフロアリングとし、
さらに、組み立てる区間の既存の鋼梁と長さが等しい平鋼と、これを既存の鋼梁に固定するための大型ボルトとを溶融亜鉛メッキによりさび止め処理を行い、
既存の鋼梁下面側に前記平鋼を大型ボルトで固定して、平鋼側部を鋼梁側面から突出した受座として配置し、
上記組み立てフロアリングユニットを該受座上に載置して固定することによることを特徴とする、
鉄骨建築物の二つの鋼梁の間にユニット組み立てができるフロアリングの施工方法。
【請求項２】
上記ユニット組み立てフロアリングを１つの基本単位とし、２以上の基本単位の前記Ｌ型鋼の底端をフレームの内側に向けて、ネジ孔が設けられた平面端を外に向けさせて結合して、フロアリングユニットを構成することによることを特徴とする
請求項１記載の鉄骨建築物の二つの鋼梁の間にユニット組み立てができるフロアリングの施工方法。
【発明の詳細な説明】
【技術分野】
【０００１】
本発明は、鉄骨建築物の二つの鋼梁の間にユニット組み立てができるフロアリング及びその施工方法に関する。
【背景技術】
【０００２】
従来の鉄骨建築物においては、床にはデッキ構造が採用され、湿気や熱気のある居室や事務室の環境の下で、そのフロアリングはコンクリート工法などで透過性がなく、機械室及び作業室の通気性の問題を有効に解決することができないため、組み立てや取り外しがしやすく、空気の流れを促し、腐食やさびを防ぐフロアリングと施工方法をいかに設計するかが、解決の急がれる問題となっている。
【特許文献１】特開２００１−２６２７１号公報
【特許文献２】特開２００１−１１５５６０号公報
【特許文献３】特開平０９−２２８４９２号公報
【発明の開示】
【発明が解決しようとする課題】
【０００３】
既存の鉄骨建築物に対して、その鋼梁構造を利用して容易に交換・設置可能なユニット構造の床とし、その通気性などの居住性と共に、施工の容易性、さびなどに対するメンテナンス性を向上する。
【課題を解決するための手段】
【０００４】
上述した問題点に鑑みて、本発明者は真剣に検討し、研究して、鉄骨建築物の二つの鋼梁の間にユニット組み立てができるフロアリング及びその施工方法を設計し、まず既にモジュラー化、標準化されたユニット組み立てができるフロアリングに組み立てるのに必要な基礎部材については、鉄材を溶接してから溶融亜鉛メッキ方式でさび止め処理を行って組み立てユニットを作り、現場で施工する際に直接、組み立てユニットを指定の位置に組み立てて、フロアリングの主体（金属ネットまたは金属板）を交換して床を交換することで透過性、通気性、軽質感の機能を持たせることができる。取り外しをする際も迅速で簡便であり、通風性の高い機械室の床であれプライバシーの強い私的な空間であれ、いずれにも適用できるものとした。
【０００５】
本発明に関する鉄骨建築物の二つの鋼梁の間にユニット組み立てができるフロアリングは、２本の横向きＬ型鋼、適当な位置にネジ孔を予め設けた２本の縦向きＬ型鋼、ネジ孔が予め設けられていない１本の縦向き山形鋼及び金属製の安全仕切りネットなどのモジュラー化、標準化された剛性部材を組み合わせて作った矩形の金属ネット状のフロアリングであり、組み立てフロアリングユニットとして、さらに組み立てる区間の既存の鋼梁と長さが等しい平鋼と、既存の鋼梁をロック固定している固定ユニットの大型ボルトとを一緒に組み立ててできており、溶接してから溶融亜鉛メッキ方式でさび止め処理を行い、施工する際には工事現場で迅速に組み立てることができるので、作業効率を高めることができ、しかも広い面積での組み立て作業もできる柔軟な対応性があり、組み立てを簡素化した設計概念から、また現場で実際の面積に合ったユニットを組み立てることで、フロアリングの主体（金属ネットまたは多孔金属板）を交換し床を交換して透過性、通気性、軽質感の機能を持たせることができるので、鉄骨建築に適している。前記固定ユニットはユニット組み立てフロアリングに用いられる、鋼梁を跨ってしかも鋼梁と長さが等しい平鋼と共に、既存の鋼梁をロック固定して組み立てるのに用いられるのものであり、この固定ユニット上にネジ孔を予め設け、当該ネジ孔の位置において平ボルトを使って当該ネジ孔の位置上に予め設けたネジ立てに差し込んでボルトと完全に接合させて、完成した組み立てフロアリングユニットを平らにし、最後にこの既に完成した組み立てフロアリングユニットを既設の鋼梁の下方に置くとともに大型ボルトでしっかりとロックし、突き出た平鋼の部分は組み立てフロアリングユニットの底座に用いることができる。
【０００６】
前記組み立てフロアリングユニットは組み立てる区間の鋼梁の長さに基づいて横向き、縦向きのＬ型鋼を設計・製造することができ、組み立てる際にはまず横向き、縦向きＬ型鋼を地面（縦向き山形鋼は予め特定の位置にネジ孔を設けておく）に平らに置き、Ｌ型鋼の底端を外側に向けて、矩形の形に囲み、横向きＬ型鋼は縦向きＬ型鋼との継ぎ合せ箇所に合わせて背辺を裁断して、Ｌ型鋼の内縁を長方形に接合し、さらに中心箇所に１本の予めネジ孔が設けられていない縦向きの補強山形鋼を増設して溶接方式でフレームに固定し、この既に完成したフレームをひっくり返してから直接、適度な大きさの金属仕切りネットまたは金属板をＬ型鋼で構成するフレーム上に置くとともに、金属仕切りネットまたは金属板とフレームの接触面を溶接すれば、組み立てフロアリングユニットが完成できる。その後、溶融亜鉛メッキ方式で組み立てフロアリングユニットにさび止め処理を行えば、現場で鉄骨建築物の二つの鋼梁の間に組み立てることができる。
【０００７】
現場で組み立てる際には直接、組み立てフロアリングユニットを平鋼が形成する突き出し底座にかぶせるが、これは平鋼と山形鋼の延伸を利用して固定面にしたものである。本発明と関連する鉄骨建築物の二つの鋼梁の間にユニット組み立てができるフロアリングが地震または人為的な垂直作用の力でひっくり返ったり、脱落したりまたは位置がずれたりしないように、さらに予めフロアリング組み立てユニットのＬ型鋼のフレームの下方に設けたネジ孔の箇所に、数本の横向きボルトをロックして固定すれば、フロアリングをユニット組み立てする施工は完了する。
【０００８】
上述したフロアリング組み立てユニットはまた延伸拡張できる柔軟な対応性を備えており、通常、上述したフロアリングは１つの基本単位であり、結合して面積を広くする必要がある場合には、フレームを溶接する際に、接合する２つの単位の接触面にあるＬ型鋼の底端をフレームの内側に向けて、ネジ孔の設けられた平面端を外に向けさせ（この面と横向きＬ型鋼の接合箇所は背辺を取る必要はない）、溶融亜鉛メッキ方式を経てさび止め処理を行ってから、現場で施工する際にフロアリングユニットの間をボルトで固定する。
【発明の効果】
【０００９】
もので、とくに、必要とする各部の部材が標準化されていて、工場で作られたユニットは透過性、通気性、軽質感を備えており、例えば機械室の空間または私室など、使用ニーズの違いに依って、現場での組立方式で床を金属ネットまたは金属仕切り板のユニットに交換することができ、当該ユニットで用いる鉄材は溶融亜鉛メッキさび止め処理が行われているので、使用年限をさらに延ばすことができる。
【発明を実施するための最良の形態】
【００１０】
以下、図面を参照しながら本発明を詳しく説明する。
本発明と関連する鉄骨建築物の二つの鋼梁の間にユニット組み立てができるフロアリングは、２本の横向きＬ型鋼、適当な位置にネジ孔を予め設けた２本の縦向きＬ型鋼、ネジ孔が予め設けられていない１本の縦向き山形鋼、及び金属製の安全仕切りネットなどのモジュラー化、標準化された剛性部材を組み合わせて作った矩形の金属ネット状のフロアリングであり、組み立てフロアリングユニットとして、さらに組み立てる区間の既存の鋼梁と長さが等しい平鋼と、既存の鋼梁をロック固定している固定ユニットの大型ボルトとを一緒に組み立ててできており、溶接してから溶融亜鉛メッキ方式でさび止め処理を行い、施工する際には工事現場で迅速に組み立てることができ、しかも広い面積での組み立て作業もできる柔軟な対応性があり、組み立てを簡素化した設計概念から、また現場で実際の面積に合ったユニットを組み立てることで、フロアリングの主体（金属ネットまたは金属板）を交換することで床を交換して透過性、通気性、軽質感の機能を持たせることができるので、鉄骨建築に適している。
以下の実施例１は、この鉄骨建築物の二つの鋼梁の間にユニット組み立てができるフロアリングの組み立て方式を説明しており、図１及び図２はそれぞれ本発明と関連する鉄骨建築物の二つの鋼梁の間にユニット組み立てができるフロアリングのフレームの組み合わせ図及び本発明と関連する鉄骨建築物の二つの鋼梁の間にユニット組み立てができるフロアリングの組み立て方式を説明するものであり、実施例２は、この鉄骨建築物の二つの鋼梁の間にユニット組み立てができるフロアリングの現場での施工方法を説明しており、図３乃至図５はそれぞれ本発明と関連する鉄骨建築物の二つの鋼梁の間にユニット組み立てができるフロアリングの上面図、側面図及び本発明と関連する鉄骨建築物の二つの鋼梁の間にユニット組み立てができるフロアリングと鋼梁が固定された断面図を説明できるものであり、実施例３は、この鉄骨建築物の二つの鋼梁の間にユニット組み立てができるフロアリングを互いに組み立てて面積を広くする組み立て方式を説明しており、図６乃至図７はそれぞれ本発明と関連する鉄骨建築物の二つの鋼梁の間にユニット組み立てができるフロアリングを幾つかのユニット組み立てフロアリングに合わせた後の上面図及び本発明と関連する鉄骨建築物の二つの鋼梁の間にユニット組み立てができるフロアリングを幾つかのユニット組み立てフロアリングに合わせて組み立てたユニットの略図を説明できるものである。
【実施例１】
【００１１】
図１〜図２が示すように、本発明と関連する鉄骨建築物の二つの鋼梁の間にユニット組み立てができるフロアリング及びその施工方法は、２本の横向きＬ型鋼、適当な位置にネジ孔を予め設けた２本の縦向きＬ型鋼、ネジ孔が予め設けられていない１本の縦向き山形鋼及び金属製の安全仕切りネットなどのモジュラー化、標準化された剛性部材を組み合わせて作った矩形の金属ネット状のフロアリングであり、組み立てフロアリングユニットとして、さらに組み立てる区間の既存の鋼梁と長さが等しい平鋼と、既存の鋼梁をロック固定している固定ユニットの大型ボルトとを一緒に組み立ててできており、溶接してから溶融亜鉛メッキ方式でさび止め処理を行えば、工事現場で迅速に組み立てることができる。
その組み立て方式は、まずフロアリングを組み立てる鋼梁の区間の距離に応じて縦向き山形鋼２、横向きＬ型鋼１及び底座固定用の平鋼５（平鋼５については図５参照）を作り、縦向きＬ型鋼２と底座固定用の平鋼５については、まずそれぞれ適当な位置にネジ孔を予め設けておく。横向きＬ型鋼１、縦向き山形鋼２を組み立てる際は、まず横向き、縦向きＬ型鋼を地面に平らに置いてＬ型鋼のＬ形底端を外側に向けさせて、矩形の形に囲み、横向きＬ型鋼１の２端の箇所は縦向きＬ型鋼２をその上に置けるように合わせて角を裁断して取り除き、当該取り除いた角の部分の長さはちょうど置かれるＬ型鋼のＬ形の下脚（−）の長さになっており（図１参照）、横向きＬ型鋼１の中心箇所にさらに１本の縦向きＬ型鋼３を補強（この補強用の縦向きＬ型鋼にはネジ孔は設けられていない）として増設するとともに溶接で固定してフレームを形成する。この既に完成したフレームをひっくり返して（図２参照）直接、適度な大きさの金属仕切りネット４を前記Ｌ型鋼が構成するフレーム枠上に置き、金属仕切りネットとフレームの接触面を溶接してから、溶融亜鉛メッキ方式でさび止め処理を行えば即、組み立てフロアリングユニットが完成する。
【実施例２】
【００１２】
図３〜図５が示すように、まず既存の鋼梁８に固定用平鋼５の予め設けたネジ孔に合わせて孔を開けてから平鋼５を既存の鋼梁８の下面に大型ボルト６で固定し、鋼梁側部に突き出た平鋼５の部分を受け止める底座として用いることができる。固定された平鋼５が形成する突き出た底座の箇所に直接、完成した組み立てフロアリングユニットを乗せ、さらに組み立てフロアリングユニットの縦向きＬ型鋼に予め設けられたネジ孔の箇所に数本の横向きのボルト栓７をロックすれば即、施工は完了する。
【実施例３】
【００１３】
図６〜図７が示すように、組み立てフロアリングユニットはまた延伸拡張できる柔軟な対応性を備えており、実施例１で述べた組み立てフロアリングユニットは１つの基本単位であり、結合して面積を広くする必要がある場合には、フレームを溶接する際に、接合する２つの単位の接触面にある縦向きＬ型鋼２の底端をフレームの内側に向けて、ネジ孔の設けられた平面端を外に向けさせ、さらにこの接触面上にボルト７で固定すればよい（この面と横向きＬ型鋼１の接合箇所は背辺を取る必要はない）。この後の施工方法は実施例２と同じである。
【図面の簡単な説明】
【００１４】
【図１】本発明と関連する鉄骨建築物の二つの鋼梁の間にユニット組み立てができるフロアリングのフレームの組み合わせ図である。
【図２】本発明と関連する鉄骨建築物の二つの鋼梁の間にユニット組み立てができるフロアリングの組み立て方式である。
【図３】本発明と関連する鉄骨建築物の二つの鋼梁の間にユニット組み立てができるフロアリングの上面図である。
【図４】本発明と関連する鉄骨建築物の二つの鋼梁の間にユニット組み立てができるフロアリングの側面図である。
【図５】本発明と関連する鉄骨建築物の二つの鋼梁の間にユニット組み立てができるフロアリングと鋼梁が固定された断面図である。
【図６】本発明と関連する鉄骨建築物の二つの鋼梁の間にユニット組み立てができるフロアリングを幾つか合わせた後の上面図である。
【図７】本発明と関連する鉄骨建築物の二つの鋼梁の間にユニット組み立てができるフロアリングを幾つか合わせて組み立てたユニットの略図である。
【符号の説明】
【００１５】
１．横向きＬ型鋼
２．縦向きＬ型鋼（ネジ孔が予め設けられている）
３．縦向きＬ型鋼（ネジ孔が予め設けられていない）
４．金属仕切りネット
５．平鋼
６．大型ボルト（鋼梁と固定されている）
７．中型ボルト（フレームに横向きに固定されている）
８．既存の鋼梁
【図１】
2006090087.tif 000003
【図２】
2006090087.tif 000004
【図３】
2006090087.tif 000005
【図４】
2006090087.tif 000006
【図５】
2006090087.tif 000007
【図６】
2006090087.tif 000008
【図７】
2006090087.tif 000009